(57)【要約】【課題】遮水シートが蛇行することがなく、加熱した直後に転圧することができて十分な接着力を確保することができるとともに加熱不足による接着不良の発生も防止し、しかも敷設作業の容易な遮水シート敷設方法を提供する。【解決手段】遮水シート１を加熱しながら壁面７に敷設接着する遮水シート敷設方法において、軸を水平方向に向けた転圧ローラ３を壁面に接するように吊るし、遮水シート１を巻物２から解き出して前記転圧ローラ３と壁面７との間に下から挿入することで転圧ローラ３により遮水シート１が壁面７に対して加圧されるよう配置し、転圧ローラ３で壁面７に加圧される直前の遮水シート１を加熱しながら転圧ローラ３を降下させていくことによって、遮水シート１を壁面７に敷設接着していく。【選択図】図１
2007196213.tif 000002
【特許請求の範囲】
【請求項１】
遮水シートを加熱しながら壁面に敷設接着する遮水シート敷設方法において、軸を水平方向に向けた転圧ローラを壁面に接するように吊るし、遮水シートを巻物としたシートロールから解き出して前記転圧ローラと壁面との間に下から挿入することで転圧ローラにより遮水シートが壁面に対して加圧されるよう配置し、転圧ローラで壁面に加圧される直前の遮水シートを加熱しながら転圧ローラを降下させていくことによって、遮水シートを壁面に敷設接着していくことを特徴とする遮水シート敷設方法。
【請求項２】
転圧ローラと遮水シートを巻物にしたシートロールをフレームで接続したものを用いた請求項１記載の遮水シート敷設方法。
【請求項３】
転圧ローラの軸をシートロールの軸よりも壁面側に配置した請求項２記載の遮水シート敷設方法。
【請求項４】
転圧ローラよりもシートロールを上方に配置した請求項１〜３記載の遮水シート敷設方法。
【請求項５】
遮水シートの加熱する面には樹脂フィルムを積層してなり、該樹脂フィルムにはフィルムが融けることによって消える目印が付されてなる請求項１〜４記載の遮水シート敷設方法。
【請求項６】
遮水シートを加熱しながら壁面に敷設接着するのに用いる遮水シート敷設装置において、転圧ローラと遮水シートを巻物にしたシートロールとをフレームで接続するとともに壁の上から吊り下げる吊り下げ具を有し、シートロールから解き出した遮水シートを転圧ローラに巻回して転圧ローラで壁面に加圧できるようにしたことを特徴とする遮水シート敷設装置。
【請求項７】
吊り下げた状態で転圧ローラの軸をシートロールの軸よりも壁面側に配置した請求項５記載の遮水シート敷設装置。
【請求項８】
吊り下げた状態で転圧ローラよりもシートロールを上方に配置した請求項５〜６記載の遮水シート敷設装置。
【発明の詳細な説明】
【技術分野】
【０００１】
本発明は遮水シートを下地に対して垂直に近い状態で切り立った壁面に遮水シートを敷設接着する方法及び装置に関するものである。
【背景技術】
【０００２】
産業廃棄物や一般廃棄物を溜めておく埋め立て型の廃棄物処分場では、処分場から漏出する汚水が地下水に浸透して環境汚染を引き起こす危険性があり、これを防止するために、処分場の底面に遮水工を施すことが義務づけられている。この遮水工として様々なものが挙げられるが、一般に確実性、安全性、施工性、そして経済性の面から樹脂製のシートやゴムまたはアスファルト製の遮水シートを敷設する方法がしばしば採用されている。（例えば特許文献１）
【０００３】
貯水池、溜め池、プール等の凹所に貯水する施設の底面には、漏水を防止するために、廃棄物処分場と同様に遮水シートが敷設される。更に地中構造物などにおいては、地下水が構造物の内部に漏水するのを防止するために、構造物を覆って遮水シートが敷設される場合がある。そして、これらの遮水シートは広大な面積を有する廃棄物処分場や貯水池等の貯水施設の底面や構造物の周囲を一枚の遮水シートによって一度に覆うことは施行上困難なため、複数の遮水シートを用いて現場で接合一体化することにより、廃棄物処分場や貯水施設、地下構造物の周囲全域を覆う工事が行われている。
【０００４】
このような遮水シートを敷設する現場において遮水壁等地面に対して垂直に近い壁面に対してシートを敷設する場合がある。遮水シートとしてアスファルト系のシートがあり、アスファルト系シートの下地への接着は従来からトーチでシートを焙って融かした状態で接着するという方法が採られている。（特許文献２）
【０００５】
アスファルト系シートを垂直に近い壁面等に敷設接着する場合、壁の上部からシートを巻物にしたシートロールを吊るして徐々に降下させて、シートロールから解き出したシートを壁面に沿わせていくが、シートロールと壁面の接触する部位をトーチ等で焙って壁面に接着するという方法か、もしくは壁面にシートを沿わせておいて、後からトーチで焙る部分のシートをめくり上げて順次加熱を行い、最終的にシート全面を接着する方法が採られていた。
【０００６】
【特許文献１】特開平１０−３２８６３５号公報
【特許文献２】特開平０５−０３３４３７号公報
【発明の開示】
【発明が解決しようとする課題】
【０００７】
しかし、上記のシートロールと壁面との境界をトーチで焙りながらシートロールを降下させて、接着しながら敷設していく方法では、まずシートロールをまっすぐに降下させているつもりでも左右に蛇行するという問題があることと、遮水シートを焙って壁面に沿わせた後に転圧する必要があるが、その転圧作業はトーチで焙った直後が好ましいが、トーチ付近での作業になるため危険が伴うため、焙りの後しばらくしてからの転圧になるので接着不良となることも考えられる。
【０００８】
また、遮水シートを先に壁面に沿わせておき、後からシートをめくり上げてトーチで焙り順次接着させていく方法では、トーチで焙った後にめくりを戻してから転圧することになり、焙りから転圧までに多少時間があいてしまうこと、また接着が完了した場所に隣接する箇所は、ぎりぎりまでめくり上げるのが困難であり、焙り不足がおきて接着不良となる可能性もある。
【０００９】
そこで本発明は、壁面に遮水シートを敷設接着する場合に、遮水シートが蛇行することがなく、加熱した直後に転圧することができて十分な接着力を確保することができるとともに加熱不足による接着不良の発生も防止し、しかも敷設作業の容易な遮水シート敷設方法の提供を目的とする。
【課題を解決するための手段】
【００１０】
上記のような課題を解決するために本発明の請求項１では、遮水シートを加熱しながら壁面に敷設接着する遮水シート敷設方法において、軸を水平方向に向けた転圧ローラを壁面に接するように吊るし、遮水シートを巻物から解き出して前記転圧ローラと壁面との間に下から挿入することで転圧ローラにより遮水シートが壁面に対して加圧されるよう配置し、転圧ローラで壁面に加圧される直前の遮水シートを加熱しながら転圧ローラを降下させていくことによって、遮水シートを壁面に敷設接着していくことを特徴とする。
【００１１】
請求項２では、転圧ローラと遮水シートを巻物にしたシートロールをフレームで接続したものを用いた請求項１記載の遮水シート敷設方法としている。
【００１２】
請求項３では、転圧ローラの軸をシートロールの軸よりも壁面側に配置した請求項２記載の遮水シート敷設方法としている。
【００１３】
請求項４では、転圧ローラよりもシートロールを上方に配置した請求項１〜３記載の遮水シート敷設方法としている。
【００１４】
請求項５では、遮水シートの加熱する面には樹脂フィルムを積層してなり、該樹脂フィルムにはフィルムが融けることによって消える目印が付されてなる請求項１〜４記載の遮水シート敷設方法としている。
【００１５】
請求項６では、遮水シートを加熱しながら壁面に敷設接着するのに用いる遮水シート敷設装置において、転圧ローラと遮水シートを巻物にしたシートロールとをフレームで接続するとともに壁の上から吊り下げる吊り下げ具を有し、シートロールから解き出した遮水シートを転圧ローラに巻回して転圧ローラで壁面に加圧できるようにしたことを特徴とする。
【００１６】
請求項７では、吊り下げた状態で転圧ローラの軸をシートロールの軸よりも壁面側に配置した請求項５記載の遮水シート敷設装置としている。
【００１７】
請求項８では、吊り下げた状態で転圧ローラよりもシートロールを上方に配置した請求項５〜６記載の遮水シート敷設装置としている。
【発明の効果】
【００１８】
請求項１においては、壁面に接するように吊り下げた転圧ローラの下から遮水シートを転圧ローラと壁面との間に挿入していき、挿入される直前のシートを加熱していることから、加熱して壁面に沿わせた遮水シートをその直後に転圧することができるので、確実に接着することができ接着不良も極めて少ないものとすることができる。
【００１９】
請求項２では転圧ローラと遮水シートを巻物にしたシートロールをフレームで接続したものを用いていることから、転圧ローラとシートロールが一体となって動き、遮水シートは確実に転圧ローラと壁面との間に供給され、また、遮水シートの蛇行も防止することができる。
【００２０】
請求項３では請求項２のように転圧ローラとシートロールをフレームで接続した場合に、転圧ローラの軸をシートロールの軸よりも壁面側に配置することで、吊り下げ位置を中心としてシートロールの重量で転圧ローラがより壁面に押し付けられるように回転する力が生じ、遮水シートへより大きな転圧力が働くようになる。
【００２１】
請求項４では、シートロールを転圧ローラよりも上方に配置しており、遮水シートの転圧ローラへの巻き付け角度が大きくなるので、トーチ等による加熱が遮水シートと壁面との境界ぎりぎりのところまで加熱することができる。
【００２２】
請求項５では、遮水シートに加熱溶融することで消える目印が付された樹脂を積層しており、溶融のタイミングをより正確に計ることができ、加熱効率を向上させることができるとともに加熱不足による遮水シートの壁面への融着不良の発生も防止することができる。
【００２３】
請求項６は、転圧ローラと遮水シートを巻物にしたシートロールとをフレームで接続するとともに壁の上から吊り下げる吊り下げ具を有した遮水シート敷設装置であり、転圧ローラの下側から壁面との間に遮水シートを挿入することによって、転圧ローラを降下させることで遮水シートが壁面に沿って配置され、転圧ローラによって壁面に加圧することができる。遮水シートが壁面に配置される直前にトーチ等で遮水シートを加熱することで、遮水シートを壁面に接着することができ、トーチでの焙りの作業もシートをめくる必要もなく簡単なものとすることができ、遮水シートの蛇行も防止することができる。
【００２４】
請求項７は、吊り下げた状態で転圧ローラの軸をシートロールの軸よりも壁面側に配置するとしており、吊り下げ位置を中心としてシートロールの重量で転圧ローラがより壁面に押し付けられるように回転する力が生じ、遮水シートへより大きな転圧力が働くようになる。
【００２５】
請求項８は、吊り下げた状態で転圧ローラよりもシートロールを上方に配置した遮水シートの転圧ローラへの巻き付け角度が大きくなるので、トーチ等による加熱が遮水シートと壁面との境界ぎりぎりのところまで加熱することができる。
【発明を実施するための最良の形態】
【００２６】
図１は本発明の遮水シート敷設方法を本発明装置にて行っているところを示す断面図である。
【００２７】
本発明で用いる遮水シート１は、加熱することで軟化させて下地である壁面に配置し転圧することによって接着する遮水シートであり、その素材としてはアスファルト系の遮水シートを挙げることができる。また、図５に示すようにアスファルト等からなるシート本体１ａの裏面にはポリエステル、ポリエチレン、ポリプロピレン等の加熱によって溶融する樹脂フィルム１ｂが積層されており、遮水シート１を巻物にしたときにシート同士がくっついてしまうのを防止する剥離フィルムとして設けている。
【００２８】
本発明の遮水シート敷設方法は、例えば図２に示すような廃棄物処分場１０などの現場において適用されるものである。図２に示す廃棄物処分場は例えば自然の凹所を利用して、その一方に遮水壁１１を構築して囲い、処分場を形成したものである。下地１２には廃棄物からの汚水が下地に浸透してしまわないように遮水層１３を形成する必要があり、アスファルト系シート等を敷設することになるが、遮水壁７については地面に対してほとんど垂直に近い壁面に遮水シートを敷設接着しなければならず、通常の底面１４や法面１５に敷設する作業よりも困難なものである。
【００２９】
本発明はこのような７５〜９０°程度の垂直に近い壁面に遮水シート１を敷設する方法に関するものである。垂直に近い壁面への遮水シートの配置は、シートを接着してしまうまで何らかシートを仮に固定しなければならないことや、壁面に対してシートが動きやすい状況であること、シートを壁面に接着するためのシートの加熱装置も常に持ち上げた状態でなければならないこと等より、敷設作業は比較的困難なものとなる。
【００３０】
よって、敷設した遮水シートが垂直の方向に対して角度をもって敷設されてしまったり、遮水シートの加熱不足や加熱後の転圧までに時間が経過しすぎた等の理由から接着不良が発生したりすることが多い。
【００３１】
そこで、本発明では図１に示すように遮水シート１を巻物にしたシートロール２と転圧ロール３をフレーム４で接続した遮水シート敷設装置５を用いており、ワイヤー等の吊り下げ具６で壁面７の上方から転圧ローラ３が壁面７と接するように吊り下げている。シートロール２から解き出した遮水シート１を転圧ローラ３の下側から壁面７との間に挿入し、遮水シート敷設装置５をウインチ等を用いて徐々に降下させていくと、壁面７に接している転圧ローラ３が回転してそれに連れてシートロール２から遮水シート１が解き出され壁面７に敷設配置されていく。
【００３２】
また、遮水シート１を壁面７に接着するためにトーチ等で加熱するが、遮水シート１がシートロール２から解き出されて転圧ローラ３と壁面７との間に挿入される直前でトーチの火で焙られる。トーチで焙られた直後の遮水シート１を壁面に配置して転圧することによって、加熱してから接着させるまでに間があいて遮水シート１が冷えてしまったために接着不良になるといった問題を解消することができる。
【００３３】
また、シートロール２を転圧ローラ３よりも上方に配置することによって、シートロール２から解き出された遮水シート１が転圧ローラ３に巻きついて転圧ローラ３の下側に回り込み、そこで壁面７との間に挿入されるので、遮水シート２と壁面７が接触し始めるトーチで加熱する箇所は、遮水シート１が十分にめくり上げられた状態になっており、焙り場所を目視しながらの作業となるのでとても容易な作業することができる。
【００３４】
更に遮水シート２の裏面に積層した樹脂フィルム１ｂに、図６に示すように部分的に白線や任意のマーク等の目印１ｃを印刷等の手段で付しておくことによって、遮水シート１が十分に加熱できているかどうかを目視で判断することができ、溶融のタイミングをより正確につかんで無駄な加熱をなくして効率を上げることができるとともに加熱不足による遮水シートの壁面への融着不良の発生も防止することができる。樹脂フィルム１ｂに付する目印を白線にする場合、白線の太さを２〜５ｍｍの範囲に設定することが好ましい。２ｍｍ未満であると細くて現場で確認しづらく、５ｍｍを超えると線が消えにくくなり、シートの過剰加熱にもつながるので好ましくない。
【００３５】
本発明で用いる転圧ローラ３は、特に素材を限定するものではないが、金属等からなるローラの表面にクロロプレンゴム、ニトリルゴム、天然ゴム等の発泡ゴムからなる厚みは５〜２０ｍｍ程度のシートを巻きつけたものが使用できる。
【００３６】
転圧ローラ３の形状であるが、隣り合う遮水シート１の接合部において段差が発生するため、例えば図３に示すような一部が小径のローラを使用することで接合部の段差を吸収することができ、転圧ローラ３の直進性を向上させることができる他、接合部全面を転圧することができるので隣り合う遮水シート同士の接合不良も防止することができる。
【００３７】
遮水シート敷設装置の吊り下げ具６としては図４に示すような構造が挙げられる。フレーム４の上辺左右両端に２本のワイヤー６ａ、６ａを固定してワイヤー長さ調節器６ｂを介在して壁面７の上方から下ろした１本のワイヤー６ｃにまとめてつないでいる。２本のワイヤー６ａ、６ａをそれぞれウインチ等で降下させるとフレーム４の降下を安定させて遮水シート１の蛇行を抑えるには２本のワイヤーの効果速度を完全に同期させる必要があるが、１本のワイヤー６ｃにまとめてしまうことでフレーム４が降下する際の向きが安定し、遮水シート１の蛇行を防止することができる。また、フレーム上辺の中央部に水平器８を配置してフレームの水平を保つことによっても遮水シートの蛇行を防止できる。
【００３８】
シートロール２よりも転圧ローラ３の軸がより壁面７側に配置することによって、遮水シート敷設装置全体が吊り下げ具６の部分を中心として壁面７の方向に回転しようとするモーメントを発生するので、転圧ローラ３による転圧力をより大きくなものとすることができる。
【００３９】
以上のような本発明の遮水シート敷設装置を用いて本発明の遮水シート敷設方法を採用することによって、遮水シート敷設装置の水平も保たれ、遮水シート１への転圧力が大きくなるので左右方向のずれも生じにくく、遮水シートの蛇行を防止することができる。また、遮水シートをトーチや熱風等で加熱する箇所を目視しながらの加熱が可能であり、加熱ムラも起こりにくく均一な接着を行うことができる。
【００４０】
本発明において遮水シート２、３はアスファルトあるいはゴムアスファルトからなるものであり、例えばストレートアスファルトやブロンアスファルトを不織布などに含浸させたものや、ブタジエンゴム、スチレンブタジエンゴム、エチレン・プロピレン・ター・ポリマー、ブチルゴムなどのゴム類に、５０％以上のブロンアスファルト、ストレートアスファルトなどの瀝青物を混入した混和物で、必要に応じてこの混和物に例えばスチレン・ブタジエンブロック共重合体、ポリエチレン、ポリプロピレン、ポリブタジエンなどの熱可塑性樹脂を添加して強化を図ることも可能である。
【００４１】
加熱方法としてはトーチを挙げて説明しているが、その他にも熱風による加熱を用いることも可能である。
【実施例】
【００４２】
（実施例）
改質ゴムアスファルトからなる厚み４．０ｍｍの遮水シートをシートロールとし図１に示すような遮水シート敷設装置を用いて、高さ１６ｍの壁面に沿って降下させ転圧ロールと壁面との間に挿入される直前にトーチで焙り遮水シートを加熱軟化させ、壁面に敷設接着させた。
【００４３】
その結果、壁面の下端において遮水シートの横方向のズレは２５ｍｍであり、遮水シートと壁面との間にエアが入り込むことによる膨れは接着面積の３％であった。
【００４４】
（比較例）
遮水シートの壁面への接着を壁面に遮水シートを垂らした状態でシートをめくりながら加熱作業を行った以外は実施例と同様の遮水シートと壁面を用いて行った。
【００４５】
その結果、壁面の下端において遮水シートの横方向のズレは１００〜１０００ｍであり、遮水シートと壁面との間にエアが入り込むことによる膨れが接着面積の２５％割合で発生した。
【００４６】
このように本発明では遮水シートのズレの発生も少なく、また、転圧力が大きいことから遮水シートと壁面との間にエアが入りこんで膨れが発生するといった外観の不良も少なく済ませることができた。
【産業上の利用可能性】
【００４７】
廃棄物処分場を形成する場合に遮水壁等地面に対して垂直に近い壁面に対して遮水シートを敷設するのに利用することができるものである。
【図面の簡単な説明】
【００４８】
【図１】本発明の遮水シート敷設装置を使用しているところの側断面図である。
【図２】廃棄物処分場の概要を示す断面図である。
【図３】転圧ロールの一形態を示す断面図である。
【図４】吊り下げ具の形態を示す正面図である。
【図５】遮水シートの一形態を示す断面図である。
【図６】樹脂フィルムに付した目印を説明する遮水シートの斜視図である。
【符号の説明】
【００４９】
１    遮水シート
１ａ  シート本体
１ｂ  樹脂フィルム
１ｃ  目印
２    シートロール
３    転圧ロール
４    フレーム
５    遮水シート敷設装置
６    吊り下げ具
６ａ  ワイヤー
６ｂ  長さ調節器
６ｃ  ワイヤー
７    壁面
８    水平器
１０  廃棄物処分場
１１  遮水壁
１２  下地
１３  遮水層
１４  底面
１５  法面
【図１】
2007196213.tif 000003
【図２】
2007196213.tif 000004
【図３】
2007196213.tif 000005
【図４】
2007196213.tif 000006
【図５】
2007196213.tif 000007
【図６】
2007196213.tif 000008